(57)【要約】【課題】糞便の採取量を一定させることができる検査試料採取方法および採便用容器を提供する。【解決手段】採便棒１５の棒部１３の先端側に設けられた採便部１４で糞便を採便し、棒部１３を容器体１７側に設けられた糞便掻取部１８に貫通させることにより棒部１３の外周囲に付着した糞便を掻き取った後に、採便部１４を容器体１７に保持された液体内に挿入し、容器体１７の底部３７に針を挿通させて液体を抜き取る。【選択図】図２
2006126220.tif 000002
【特許請求の範囲】
【請求項１】
採便棒の棒部の先端側に設けられた採便部で糞便を採便し、
前記棒部を容器体側に設けられた糞便掻取部に貫通させることにより該棒部の外周囲に付着した糞便を掻き取った後に、前記採便部を前記容器体に保持された液体内に挿入し、
前記容器体の底部に針を挿通させて前記液体を抜き取ることを特徴とする検査試料採取方法。
【請求項２】
棒部の先端側に採便部が設けられた採便棒と、
該採便棒が挿入される容器体とを具備し、
前記採便部で糞便を採便した状態で前記棒部を前記容器体側の糞便掻取部に貫通させることにより該棒部の外周囲に付着した糞便を掻き取った後に、前記採便部を前記容器体に保持された液体内に挿入させる採便用容器であって、
前記容器体は、針を挿通させて前記液体を抜き取り可能な部分を備えていることを特徴とする採便用容器。
【請求項３】
前記針を挿通させて前記液体を抜き取り可能な部分は、前記採便部が前記糞便掻取部を貫通後に位置する室の底部である請求項２記載の採便用容器。
【請求項４】
一側に把持部を有し他側に棒部を有するとともに該棒部の先端に外面より凹んだ溝部を有する採便部が設けられた採便棒と、
一端側に開口部及び糞便掻取部を有し、他端側が底部で閉塞され、前記採便棒の棒部側が前記開口部側から挿入されておりかつ液体が貯留されている容器体と、
を具備し、
前記糞便掻取部は、前記採便棒の採便部で糞便を採便した状態で前記棒部を前記容器体に挿入することにより、該採便棒の棒部に付着した糞便を掻き取り、該採便棒の採便部の溝部に残存する糞便を、前記容器体の液体に採取するものであり、
前記容器体の底部は、糞便を含む液体を抜き取るための針が挿通可能に設けられていることを特徴とする採便用容器。
【発明の詳細な説明】
【技術分野】
【０００１】
本発明は、潜血検査等のため糞便を一定量採取する検査試料採取方法および採便用容器に関する。
【背景技術】
【０００２】
潜血検査等のため糞便を一定量採取する採便用容器としては、従来、一側に把持部を有し他側に棒部を有するとともに該棒部の先端側に採便部が設けられた採便棒と、該採便棒の棒部側が挿入される容器体と、該容器体に嵌合されるとともに貫通孔を有する嵌合体とを具備し、採便棒の棒部を嵌合体の貫通孔に嵌合させることによりその採便部を嵌合体と容器体とで保持された液体内に挿入させる構造のものが用いられている。
このような構造の採便用容器は、使用時において、採便棒の棒部を嵌合体の貫通孔に挿通させる際に、棒部の先端に付着した糞便がそのまま貫通孔を通過して入り込むことがあり、糞便の採取量が必要以上に多くなってしまうことがあった。
このため、嵌合体が使用前においては貫通孔を持たず、別体とされた採便棒の棒部を、使用時において嵌合体に穴を明けつつ貫通させてその採便部を嵌合体と容器体とで保持された液体内に挿入させる構造のものが用いられることもある。
このような構造の採便用容器は、使用時において採便棒の棒部で嵌合体に穴を明けるため、棒部が嵌合体に当接することで該棒部の先端に付着した糞便が嵌合体によって掻き取られ、よって、糞便の採取量が必要以上に多くなってしまうことを防止できる。
【発明の開示】
【発明が解決しようとする課題】
【０００３】
ところで、採便棒の採便部は、一般に棒部の外面より凹んだ溝部で構成されており、棒部の溝部から外側にはみ出た糞便を、棒部を嵌合体を通過させることにより該嵌合体で掻き取ることで溝部内のみに残し、これにより糞便の量を一定とするものである。
しかしながら、上記のように採便棒の棒部で嵌合体に穴を明けることで棒部の先端に付着した糞便を除去する構造のものを用いた場合、嵌合体が通過時に溝部に入り込んで溝部内の糞便を掻き取ってしまう可能性がある。これにより、糞便の採取量が不足してしまうことになる。
したがって、本発明の目的は、糞便の採取量を一定させることができる検査試料採取方法および採便用容器を提供することである。
【課題を解決するための手段】
【０００４】
本発明の検査試料採取方法は、採便棒の棒部の先端側に設けられた採便部で糞便を採便し、前記棒部を容器体側に設けられた糞便掻取部に貫通させることにより該棒部の外周囲に付着した糞便を掻き取った後に、前記採便部を前記容器体に保持された液体内に挿入し、前記容器体の底部に針を挿通させて前記液体を抜き取ることを特徴とする。
【０００５】
本発明の採便用容器は、棒部の先端側に採便部が設けられた採便棒と、該採便棒が挿入される容器体とを具備し、前記採便部で糞便を採便した状態で前記棒部を前記容器体側の糞便掻取部に貫通させることにより該棒部の外周囲に付着した糞便を掻き取った後に、前記採便部を前記容器体に保持された液体内に挿入させる採便用容器であって、前記容器体は、針を挿通させて前記液体を抜き取り可能な部分を備えていることを特徴とする。
この場合、前記針を挿通させて前記液体を抜き取り可能な部分は、前記採便部が前記糞便掻取部を貫通後に位置する室の底部であるのが好ましい。
【０００６】
本発明の採便用容器は、一側に把持部を有し他側に棒部を有するとともに該棒部の先端に外面より凹んだ溝部を有する採便部が設けられた採便棒と、一端側に開口部及び糞便掻取部を有し、他端側が底部で閉塞され、前記採便棒の棒部側が前記開口部側から挿入されておりかつ液体が貯留されている容器体と、を具備し、前記糞便掻取部は、前記採便棒の採便部で糞便を採便した状態で前記棒部を前記容器体に挿入することにより、該採便棒の棒部に付着した糞便を掻き取り、該採便棒の採便部の溝部に残存する糞便を、前記容器体の液体に採取するものであり、前記容器体の底部は、糞便を含む液体を抜き取るための針が挿通可能に設けられていることを特徴とする。
【発明の効果】
【０００７】
本発明によれば、糞便の採取量を一定させることができる。
【発明を実施するための最良の形態】
【０００８】
本発明の一の実施の形態を以下に説明する。
図１および図２に示すように、この実施の形態の採便用容器１１は、一側に把持部１２を有し他側に棒部１３を有するとともに該棒部１３の先端側に採便部１４が設けられた採便棒１５と、該採便棒１５の棒部１３側が挿入されるとともに図示略の緩衝液（液体）が貯留される容器体１７と、該容器体１７に嵌合される嵌合体１８とを具備している。
【０００９】
図３および図４に示すように、採便棒１５の把持部１２は、円柱をその中心軸線の両側に該軸線から等距離離間して相互に平行をなす一対の面部２０，２１を形成するよう切り落とした板状のものである。採便棒１５の長さ方向（図３における左右方向）における把持部１２の一端部には、図３（ａ）に示すように、厚さ方向（図３（ａ）における紙面直交方向）から見て半円状をなすよう面取部２２が形成されている。また、採便棒１５の長さ方向における把持部１２の他端部は、図３（ｂ）に示すように、幅方向（図３（ｂ）における紙面直交方向）から見て両面部２０，２１から円弧状に立ち上がって、前記円柱と同軸同径の円柱部２３に連続している。
把持部１２の両面部２０，２１には、半球形状をなして突出する突起２０ａ，２１ａがそれぞれ多数形成されている。
【００１０】
該円柱部２３の把持部１２に対し反対側には、該円柱部２３より大径の円板状のフランジ部２５が同軸をなして設けられており、該フランジ部２５の円柱部２３に対し反対側には、該フランジ部２５より小径の円柱部２６が同軸をなして設けられている。該円柱部２６の外周側の軸線方向における中間所定位置には、環状をなして一段凹む凹部２７が同軸をなして形成されており、該凹部２７とフランジ部２５との間には環状をなして一段突出する凸部２８が同軸をなして形成されている。
円柱部２６のフランジ部２５に対し反対側には、大径側が該円柱部２６と略同径をなし該円柱部２６から離れるほど小径となる略円錐状の連結部２９が同軸をなして設けられている。
【００１１】
該連結部２９の円柱部２６に対し反対側には、該連結部２９の小径側と略同径の円柱部３０が同軸をなして設けられている。
該円柱部３０の連結部２９に対し反対側には、大径側が該円柱部３０と略同径をなし該円柱部３０から離れるほど小径となる略円錐状の連結部３１が同軸をなして設けられている。
該連結部３１の円柱部３０に対し反対側には、該連結部３１の小径側と略同径の円柱状の上記棒部１３が同軸をなして設けられており、該棒部１３の先端部３２は、同軸の半球形状をなしている。
【００１２】
棒部１３の先端側であって先端部３２より若干内側に上記採便部１４が設けられている。
該採便部１４は、棒部１３の外周面１３ａより凹む溝部３３と、該溝部３３内において棒部１３の長さ方向に延在するリブ３４とを有している。
溝部３３は、棒部１３の径方向における片側に、該棒部１３の長さ方向に同幅をなして該長さ方向に直交する方向に延在し、しかも把持部１２の厚さ方向における一側、この場合は面部２１側に配置されるよう形成されている。
なお、溝部３３は、棒部１３の円周方向における連続する１８０゜以内の範囲にのみ形成するのが好ましい。
【００１３】
リブ３４は、溝部３３の延在方向における中央位置に形成されており、溝部３３の全幅にわたって延在するその外面３４ａが全面的に棒部１３の外周面１３ａと一致している。
溝部３３の底側は、リブ３４に対し両反対側が、相互に同一平面内に位置する底面３３ａ，３３ａとされ、リブ３４側がリブ３４に近接するほどリブ３４の外面３４ａ側に位置するよう傾斜された傾斜面３３ｂ，３３ｂとされている。
なお、この採便棒１５は、例えばＡＢＳ樹脂等で一体成形される。
ここで、上記のように溝部３３が棒部１３の径方向における片側に、該棒部１３の長さ方向に直交する方向に形成されているため、製造が容易となるメリットがある。
この場合は、リブ３４は溝部３３に１個形成されるが、複数個形成されてもよい。
【００１４】
容器体１７は、図５に示すように、一端側に開口部３５が設けられ他端側が円板状の底部３７で閉塞された略有底円筒状をなすもので、外径側は全長にわたって略同一径とされている。内径側は、開口部３５側に大径の大径内周部３９が形成され、該大径内周部３９の底部３７側に該大径内周部３９より小径の小径内周部４０が該大径内周部３９と同軸に形成された形状をなしている。そして、これら大径内周部３９と小径内周部４０との間に、軸線方向に直交する方向に広がる段部４１が環状に形成されている。なお、小径内周部４０は、底部３７側になるほど小径となるようテーパ状をなしている。加えて、底部３７の開口部３５に対し反対側には、底部３７側になるほど小径となるようテーパ状をなすテーパ穴部４２が大径内周部３９等と同軸に形成されている。
【００１５】
ここで、大径内周部３９の中間所定位置には、環状に突出する凸部４３が同軸をなして形成されている。大径内周部３９は、容器体１７に採便棒１５をその棒部１３側から挿入させた際に採便棒１５の円柱部２６が嵌合されることになり、該容器体１７の開口部３５側の端面４４にフランジ部２５を当接させた際に、凸部４３が円柱部２６の凹部２７に入り込む。ここで、凸部４３の内径は円柱部２６の外径より小径かつ凹部２７の溝底径より大径とされており、よって、凸部４３が凹部２７に入り込んだ状態では、容器体１７からの採便棒１５の抜けが防止される。また、凸部２８の外径は大径内周部３９の内径より大径とされており、凸部４３が凹部２７に入り込んだ状態で、凸部２８は大径内周部３９内に位置し、これによっても、容器体１７からの採便棒１５の抜けが防止される。
なお、容器体１７は、例えばＬＬＤＰＥ（直鎖低密度ポリエチレン）で一体成形される。
【００１６】
嵌合体１８は、図６に示すように、一端側に開口部４６が設けられ他端側が円板状の底部４７で閉塞された略有底円筒状をなすもので、その外径側は、開口部４６側に大径の大径外周部４８が形成され、底部４７側に該大径外周部４８より小径の小径内周部４９が該大径内周部４８と同軸に形成された形状をなしている。そして、嵌合体１８は、容器体１７の開口部３５側に、底部４７側から嵌合され、大径外周部４８と小径外周部４９との間の、軸線方向に直交して広がる段部５０を、容器体１７の大径内周部３９と小径内周部４０との間の段部４１に当接させて、容器体１７に対する軸線方向の位置決めがなされる。なお、この位置決め状態で容器体１７の大径内周部３９に嵌合体１８の大径外周部４８が嵌合し容器体１７の小径内周部４０に嵌合体１８の小径外周部４９が嵌合して、これらの嵌合力で嵌合体１８が容器体１７に固定される。
【００１７】
嵌合体１８の内径側は、開口部４６側から底部４７側にかけて底部４７側になるほど小径となるようテーパ状をなすテーパ穴部５１が形成されている。
底部４７の開口部４６側の面部４７ａは、テーパ穴部５１より角度の大きいテーパ状をなしており、その小径側には、開口部４６に対し反対方向に凹む凹部５２が中心軸線上に形成されている。そして、この凹部５２から底部４７を貫通して切込部５３が形成されている。
ここで、切込部５３は、採便棒１５の棒部１３が挿入可能とされるとともに挿入状態で該棒部１３と嵌合体１８自身の弾性性状による復元性で閉塞され、かつ該採便棒１５の棒部１３が抜かれた状態においても嵌合体１８自身の復元性で閉塞される。なお、嵌合体１８は、天然ゴムあるいはＴＰＥ（熱可塑性エラストマー）等の弾性材料で一体成形される。
【００１８】
以上のような構成の採便用容器１１によれば、製造時においては、容器体１７内に開口部３５から緩衝液を入れた後、開口部３５側から、図１および図２に示すように、嵌合体１８をその段部５０が容器体１７の段部４１に当接するまで嵌合させる。そして、採便棒１５を、その棒部１３を嵌合体１８の切込部５３に挿入させつつ該嵌合体１８を貫通させ、さらに、その円柱部２６を容器体１７の開口部３５側に嵌合させ、その環状の凹部２７に、容器体１７の環状の凸部４３を入り込ませかつフランジ部２５を容器体１７の開口側端面４４に当接させるまで挿入する。この状態において、棒部１３の採便部１４は、容器体１７と嵌合体１８とで囲まれた部分、すなわち緩衝液が充填された部分に位置することになり、他方、棒部１３の採便部１４より把持部１２側の部分が嵌合体１８の切込部５３に嵌合することになる。ここで、棒部１３が嵌合された状態で、嵌合体１８の切込部５３は棒部１３と嵌合体１８自身の復元性とで閉塞されることになり、よって、緩衝液を、その漏れ出しを防止して容器体１７内に確実に保持する。
以上により、製造後であって使用前の状態において、容器体１７および嵌合体１８と採便棒１５との一体化が図れるため、取り扱い上便利となる。
【００１９】
次に、使用時においては、親指と人差し指または中指とで把持部１２の両面部２０，２１を把持し採便棒１５を容器体１７および嵌合体１８から抜き取る。このとき、嵌合体１８は、棒部１３が完全に抜かれた後も自らの復元性で切込部５３を閉塞させる。よって、緩衝液を、その漏れ出しを防止して容器体１７内に保持した状態を維持する。
【００２０】
このようにして抜き取った採便棒１５を、使用時における状態、すなわち溝部３３およびリブ３４からなる採便部１４を手首の折り曲げ方向における手前側に向けるようにする。ここで、把持部１２の板厚方向における一側に採便部１４の形成方向が設定されているため、把持部１２を把持した状態で採便部１４は、手首の折り曲げ方向における手前または奥方のいずれかに位置することになる。よって、手前側に位置している状態ではそのまま、奥方に位置しているときは反転して持ち直すという容易な作業で、使用時における最適な状態にすることができる。
【００２１】
そして、この状態で、糞便の表面に採便部１４を擦り付けるように採便棒１５を移動させて採便を行う。
これにより、採便棒１５の採便部１４の近傍に糞便が付着し、採便部１４の溝部３３内にも入り込む。
ここで、この場合、上記のように溝部３３が棒部１３の円周方向における連続する１８０゜以内の範囲にのみに形成されているため、棒部１３の全周にわたって溝部が形成されている従来のもののように糞便に突刺す必要がなく、上記のように糞便の表面に採便部１４を擦り付けて糞便の表面側を採取することができる。
そして、採便棒１５を、その棒部１３を嵌合体１８の切込部５３に挿入させつつ、その円柱部２６を容器体１７の開口部３５側に嵌合させ、その環状の凹部２７に、容器体１７の環状の凸部４３を入り込ませかつそのフランジ部２５を容器体１７の開口側端面４４に当接させるまで挿入する。
【００２２】
ここで、採便棒１５の棒部１３を切込部５３に挿入する直前に、棒部１３が、切込部５３が閉塞された状態にある嵌合体１８に当接することになり、棒部１３の先端に付着した糞便は嵌合体１８によって掻き取られることになる。また、棒部１３の切込部５３への挿入によって棒部１３の外周囲に付着した糞便も嵌合体１８によって掻き取られることになる一方、溝部３３にリブ３４が形成されているため、嵌合体１８が溝部３３内に入り込むことが防止され、よって、嵌合体１８の通過後には、溝部３３内のみに糞便が残存した状態で、緩衝液に挿入される。
以上により、糞便の採取量が必要以上に多くなってしまうことおよび不足してしまうことが共に防止され、よって、糞便の採取量を一定させることができる。
そして、上記のようにして採便が行われたものを、容器体１７のテーパ穴部４２側から底部３７に注射器の針を挿通させて該注射器により液を抜き取って検査を行う。
【００２３】
ここで、嵌合体１８として、温度変化があっても安定した復元性を示すものを用い、温度変化の許容範囲を広げることで、採便用容器１１の保存条件としての温度条件を広げることができるため、さらに取り扱いを容易とすることができる。
下記の表１には、嵌合体１８に、ＪＩＳ Ｋ ６３０１による７０℃×２２時間の試験により生じる圧縮永久歪が１２％のポリスチレン系エラストマー（商品名：エラストマーＡＲ−１０４０（アロン化成（株）））を用い、また図３に示す採便棒１５の棒部１３の周方向における１８０゜に外面より凹んだ溝部３３とそのほぼ中央部に棒部１３の長さ方向に延在するリブ３４を有する採便用容器の場合（実施例）と、前記溝部３３にリブ３４がない採便用容器の場合（比較例）の糞便採取量の結果を示している。
【００２４】
【表１】
2006126220.tif 000003
【００２５】
なお、この測定の手順は以下である。
（１）嵌合体１８に採便棒１５の棒部１３を挿入しておく。
なお、採便棒１５としては、棒部１３がφ１．５ｍｍのものを用いる。
（２）嵌合体１８から採便棒１５を抜き取り重量を測定。
（３）採便棒１５を緩衝液に浸す。
（４）採便棒１５で糞便を採取する。なお、糞便として普通便を使用する。
（５）嵌合体１８に採便棒１５を使用時と同じ方向に通過させ、余剰の糞便を取り除く。
（６）採便後の重量を測定する。
重量測定は、まず、溝部３３と先端部３２とに残存する糞便を合わせた重量を測定し、その後、先端部３２の糞便をペーパーでふき取った後、溝部３３に残存する糞便の重量を測定する。
【００２６】
測定結果から、比較例の場合は平均０．３４ｍｇの採取量であるのに対し実施例は平均０．４４ｍｇであり、リブ３４により嵌合体１８が溝部３３内に入り込むことが防止される分、糞便の採取量が不足してしまうことがなくなる。
【００２７】
なお、溝部３３の底側は、図７に示すように、リブ３４を除いて全面的に同一平面内に位置する底面３３ａ，３３ａとしてもよい。
また、切込部５３はあらかじめ形成しておくのではなく、棒部１３の挿入により破断形成するようにしてもよい。
さらに、図８に示すように、円筒状をなすとともに複数の環状の凹部５５を形成した把持部５６を用いることも可能であり、また、棒部１３の先端側に、大径側が該棒部１３の基端側と略同径をなし該基端側から離れるほど小径となる略円錐状の連結部５７を同軸をなして設けて、該連結部５７の棒部１３におけるさらに先端側に、該連結部５７の小径側と略同径の円柱部５８を同軸に形成して、該円柱部５８に採便部１４を配置することも可能であり、さらに、棒部１３の先端部３２を先細の円錐状としたりすることも可能である。
【００２８】
以上の採便用容器によれば、採便部が、溝部内において棒部の長さ方向に延在するリブを有しているため、該リブが、嵌合体の通過時における該嵌合体の溝部への入り込みを防止する。よって、糞便の採取量を不足させることなく一定させることができる。
採便部は、棒部の周方向における１８０゜以内の範囲にのみ外面より凹んだ溝部が形成されてなるものであるため、嵌合体の通過時における該嵌合体の溝部への入り込みが少なく、よって、糞便の採取量を不足させることなく一定させることができる。しかも、棒部の全周にわたって溝部が形成されている従来のもののように糞便に突刺す必要がなく、上記のように糞便の表面に採便部を擦り付けて糞便の表面側を採取することができる。
溝部が、棒部の長さ方向に直交する方向に形成されているため、製造が容易である。
把持部を親指と人差し指とで把持すると、該把持部の板厚方向が手首の折り曲げ方向となる。すると、溝部は、この手首の折り曲げ方向における手前または奥方のいずれかに位置することになるため、使用時における最適な状態すなわち溝部を手首の折り曲げ方向における手前側に位置させることが容易となる。
【図面の簡単な説明】
【００２９】
【図１】本発明の一の実施の形態の採便用容器を示すもので、（ａ）は平断面図、（ｂ）は正断面図、（ｃ）は底断面図である。
【図２】本発明の一の実施の形態の採便用容器を示すもので、（ａ）は背断面図、（ｂ）は左側面図、（ｃ）は右側面図、（ｄ）は、（ｃ）におけるＡ−Ａ線に沿う断面図である。
【図３】本発明の一の実施の形態の採便用容器の採便棒を示すもので、（ａ）は平面図、（ｂ）は正面図、（ｃ）は底面図である。
【図４】本発明の一の実施の形態の採便用容器の採便棒を示すもので、（ａ）は背面図、（ｂ）は左側面図、（ｃ）は右側面図、（ｄ）は図３（ｃ）におけるＢ−Ｂ線に沿う拡大断面図である。
【図５】本発明の一の実施の形態の採便用容器の容器体を示すもので、（ａ）は正断面図、（ｂ）は左側面図、（ｃ）は右側面図である。
【図６】本発明の一の実施の形態の採便用容器の嵌合体を示すもので、（ａ）は左側面図、（ｂ）は正面図、（ｃ）は拡大正断面図、（ｄ）は右側面図である。
【図７】本発明の一の実施の形態の採便用容器の採便棒の他の例を示すもので、（ａ）は正面図、（ｂ）は底面図、（ｃ）は（ｂ）におけるＣ−Ｃ線に沿う拡大断面図である。
【図８】本発明の一の実施の形態の採便用容器の採便棒のさらに他の例を示す正面図である。
【符号の説明】
【００３０】
１１  採便用容器
１２  把持部
１３  棒部
１４  採便部
１５  採便棒
１７  容器体
１８  嵌合体
３３  溝部
３４  リブ
【図１】
2006126220.tif 000004
【図２】
2006126220.tif 000005
【図３】
2006126220.tif 000006
【図４】
2006126220.tif 000007
【図５】
2006126220.tif 000008
【図６】
2006126220.tif 000009
【図７】
2006126220.tif 000010
【図８】
2006126220.tif 000011